(57)【要約】【課題】床面に敷設されたバリアフリーガイドレールのガイド溝や、蓋と床面との間の溝に塵埃が入ることを防止したうえで、さらに、蓋の端部にカバーによる段差のない、歩行者にとって安全なバリアフリーのガイドレールを提供する。【解決手段】横引きシャッター９をガイドするための床面１０に敷設されるバリアフリーガイドレール１であって、横引きシャッター９の下部をガイドするガイド溝２を有するレール３と、ガイド溝２の開口部を覆う蓋４と、蓋４の下面に取り付けられる回転軸５と、回転軸５の受台６と、蓋４と床面１０との間に生ずる水平方向に開口する隙間を覆うカバー７と、を具備し、蓋４が、カバー７と係合する切り欠き端部８を有することによって、蓋４とカバー７とが係合するときに、蓋４の上面とカバー７の上面とが同じ高さになることを特徴とする、バリアフリーガイドレール１。【選択図】図１
2015218494.tif 000002
【特許請求の範囲】
【請求項１】
横引きシャッターをガイドするための床面に敷設されるバリアフリーガイドレールであって、
横引きシャッターの下部をガイドするガイド溝を有するレールと、
ガイド溝の開口部を覆う蓋と、
蓋の下面に取り付けられる回転軸と、
回転軸の受台と、
蓋と床面との間に生ずる水平方向に開口する隙間を覆うカバーと、
を具備し、
蓋が、カバーと係合する切り欠き端部を有することによって、該蓋とカバーとが係合するときに、該蓋の上面とカバーの上面とが同じ高さになることを特徴とする、バリアフリーガイドレール。
【請求項２】
蓋がステンレス製であることを特徴とする、請求項１に記載のバリアフリーガイドレール。
【請求項３】
蓋が、該蓋の上面に、滑り止め用部材を設けたものであることを特徴とする、請求項１または請求項２に記載のバリアフリーガイドレール。
【請求項４】
蓋が、レールの延設方向に沿って連結されるときに、該蓋が、連結される蓋同士が係合するような切り欠き端部を有し、連結される蓋の上面が同じ高さになることを特徴とする、請求項１〜３のいずれか一つに記載のバリアフリーガイドレール。
【発明の詳細な説明】
【技術分野】
【０００１】
本発明は、バリアフリーガイドレールに関し、詳細には、ガイドレールに沿って水平方向に移動する、いわゆる横引きシャッターをガイドするために、床面に敷設される、バリアフリーに対応したガイドレールに関するものである。
【背景技術】
【０００２】
一般に、床面に敷設されるガイドレールは、横引きシャッターの下部をガイドするためのガイド溝を有している。
このガイド溝は、シャッターの閉鎖時にはシャッターの下部が挿入されることによって塞がれるが、シャッターの開放時には開口したままになる。
そのため、ガイド溝内に塵埃が入ることがある。
ガイド溝内に塵埃が入ると、掃除の手間がかかるだけでなく、シャッターを閉鎖しようとする際に、塵埃がシャッターの下部に絡まることによって、シャッターが上手く閉鎖できない等の問題を生じる。
【０００３】
そこで、例えば、ガイド溝に回転式の蓋を取り付けたガイドレールが開示されている（特許文献１参照）。
このガイドレールは、ガイド溝を覆う蓋と、さらに、蓋とガイドレール枠と間の隙間を覆うカバーとを備えている。
【０００４】
ここで、上記特許文献１に記載のガイドレールと同様の、従来の蓋とガイドレール枠と間の隙間を覆うカバーを備えたガイドレールを図５（Ａ）、図５（Ｂ）に示す。
図５（Ａ）のβ部を参照するとわかるように、カバー２３は、蓋２１とガイドレール枠２２と間の隙間を覆うことで、この隙間から塵埃が侵入することを防止するためのものであって、蓋２１とガイドレール枠２２との間の隙間を覆うように、蓋２１の上面に取り付けられており、蓋２１とカバー２３とによる段差が生じている。
そのため、このようなガイドレール２０は、蓋２１とカバー２３とによる段差に歩行者が躓くことがあり、特に、女性のハイヒールの踵部分がひっかかることで転倒する事故や、高齢者や足の不自由な人がこの段差を乗り越えることができずに思わぬ怪我をする危険性がある等、安全面の問題がある。
【発明の概要】
【発明が解決しようとする課題】
【０００５】
本発明は、上記の問題に鑑みてなされたものであり、床面に敷設されたバリアフリーガイドレールのガイド溝や、蓋と床面との間に生ずる隙間に塵埃が入ることを防止して、横引きシャッターの開閉をスムーズに行えるようにしたうえで、さらに、蓋とカバーとによる段差を生じない、歩行者にとって安全なバリアフリーのガイドレールを提供することを目的とする。
【課題を解決するための手段】
【０００６】
本発明の課題を解決するための手段は、下記のとおりである。
【０００７】
第１に、横引きシャッターをガイドするための、床面に敷設されるバリアフリーガイドレールであって、横引きシャッターの下部をガイドするガイド溝を有するレールと、ガイド溝の開口部を覆う蓋と、蓋の下面に取り付けられる回転軸と、回転軸の受台と、蓋と床面との間に生ずる水平方向に開口する隙間を覆うカバーと、を具備し、蓋が、カバーと係合する切り欠き端部を有することによって、該蓋とカバーとが係合するときに、該蓋の上面とカバーの上面とが同じ高さになることを特徴とする、バリアフリーガイドレール。
第２に、蓋がステンレス製であることを特徴とする、前記第１に記載のバリアフリーガイドレール。
第３に、蓋が、該蓋の上面に、滑り止め用部材を設けたものであることを特徴とする、前記第１または第２に記載のバリアフリーガイドレール。
第４に、蓋が、レールの延設方向に沿って連結されるときに、該蓋が、連結される蓋同士が係合するような切り欠き端部を有し、連結される蓋の上面が同じ高さになることを特徴とする、前記第１〜３のいずれか一つに記載のバリアフリーガイドレール。
【０００８】
本発明のバリアフリーガイドレールは、横引きシャッターの開放時におけるガイド溝内への塵埃の侵入を防止するための蓋を具備し、さらに、その蓋と床面との間に生ずる水平方向に開口する隙間を覆うカバーを具備している。
そのため、横引きシャッターの開放時において、ガイド溝内や、蓋と床面との間に生ずる水平方向に開口する隙間に塵埃が侵入することを防ぐことができる。
【０００９】
また、蓋が、カバーと係合する切り欠き端部を有している。
そして、その切り欠き端部を有することによって、蓋とカバーとが係合するときに、蓋の上面とカバーの上面とが同じ高さになる構造である。
そのため、蓋とカバーとによる段差を生じない。
その結果、女性がハイヒールをひっかけることによる転倒事故や、高齢者等が段差で怪我をするという危険性のない、歩行者にとって安全なバリアフリーのガイドレールとすることができる。
【００１０】
また、蓋をステンレス製にすることによって、強度や耐久性を向上させることができる。
そのため、ビルや店舗等の屋内において人が歩く場所に設置するだけでなく、車が通る駐車場等の屋外にも設置可能なガイドレールとすることができる。
さらに、蓋の上面に、滑り止め用部材を設けることで、いわゆるチェッカープレートとしての役割を持つものとすることができる。
そのため、滑り止め効果を有し、より安全なガイドレールとすることができる。
【００１１】
また、ガイドレールは、レールの延設方向に沿って、複数の蓋が連結されるのが通常である。
このとき、蓋が、連結される蓋同士が係合するような切り欠き端部を有し、連結される蓋の上面が同じ高さになることによって、連結される蓋同士の間に隙間を生じることがなく、また、連結される蓋同士の上面に段差を生じることもない。
そのため、ガイド溝内に塵埃が侵入することを確実に防止した、バリアフリーのガイドレールとすることができる。
【発明の効果】
【００１２】
以上説明したように、本発明のバリアフリーガイドレールは、蓋とカバーとを具備しており、その蓋が、カバーと係合する切り欠き端部を有することによって、蓋とカバーとが係合するときに、蓋の上面とカバーの上面とが同じ高さになる構造である。
このことによって、床面に敷設されたバリアフリーガイドレールのガイド溝や、蓋と床面との間に生ずる隙間に塵埃が入ることを防止して、横引きシャッターの開閉をスムーズに行えるようにしたうえで、さらに、蓋とカバーとによる段差を生じない、歩行者にとって安全なバリアフリーのガイドレールを得ることができる。
【図面の簡単な説明】
【００１３】
【図１】（Ａ）横引きシャッターの開放時における、床面に設置された本発明に係るバリアフリーガイドレールの第一の実施形態を示した図である。（Ｂ）横引きシャッターの閉鎖時における、床面に設置された本発明に係るバリアフリーガイドレールの第一の実施形態を示した図である。
【図２】本発明に係るバリアフリーガイドレールの第二の実施形態を示した図である。
【図３】（Ａ）床面に設置された本発明に係るバリアフリーガイドレールの第三の実施形態を上から見た図である。（Ｂ）床面に設置された本発明に係るバリアフリーガイドレールの第三の実施形態の横断面を示した図である。
【図４】（Ａ）本発明に係るバリアフリーガイドレールの蓋を、レールの延設方向に沿って連結した状態を上から見た図である。（Ｂ）本発明に係るバリアフリーガイドレールの蓋を、レールの延設方向に沿って連結した状態の横断面を示した図である。
【図５】（Ａ）横引きシャッターの開放時における、床面に設置された従来のガイドレールを示した図である。（Ｂ）横引きシャッターの閉鎖時における、床面に設置された従来のガイドレールを示した図である。
【発明を実施するための形態】
【００１４】
以下、本発明について図面を参照しながらさらに詳細に説明するが、本発明はこれらに限定されるものではない。
【００１５】
ここで、図１（Ａ）、図１（Ｂ）は、それぞれ、ガイドレールに沿って水平方向に移動する、いわゆる横引きシャッターを開放また閉鎖したときの本発明に係るバリアフリーガイドレールの第一の実施形態を床面に設置した状態を示した図である。
例えば、いわゆる横引きシャッターには、アルミ製横引きシャッター、パイプ・グリル横引きシャッター、スチール製防火防煙横引きシャッター、横引き折れ扉タイプのパネルゲート、上吊りタイプの横引きシャッター、下車タイプの横引きシャッター等がある。
【００１６】
図１（Ａ）、図１（Ｂ）に示すように、バリアフリーガイドレール１は、床面１０に設置されている。
このバリアフリーガイドレール１は、図１（Ｂ）に示された横引きシャッター９をガイドするためのものであり、横引きシャッター９の下部をガイドするガイド溝２を有するレール３を備えている。
さらに、バリアフリーガイドレール１は、ガイド溝２の開口部を覆う蓋４と、蓋４の下面にネジ１２によって取り付けられた回転軸５と、ネジ１３によって回転軸５に取り付けられた受台６と、蓋４と床面１０との間に生ずる隙間を覆うカバー７とを備えている。
そして、シャッターの開放時には、図１（Ａ）に示すように、蓋４は、ガイド溝２の開口部を覆っており、シャッターの閉鎖時には、図１（Ｂ）に示すように、蓋４が回転してシャッター９に斜めに寄りかかるようになって、シャッターの開放時にも閉鎖時にも、ガイド溝２内に塵埃が侵入することを防止している。
【００１７】
図１（Ａ）のα部を参照するとわかるように、蓋４は、カバー７と係合する切り欠き端部８を有している。
そして、この切り欠き端部８を有することにより、蓋４とカバー７とが係合するとき、蓋４の上面とカバー７の上面とは同じ高さになる。
【００１８】
すなわち、図１（Ａ）のように、バリアフリーガイドレール１が敷設されている左側の床面１０から右側の床面１０において、蓋４の上面、カバー７の上面が同じ高さである。
その結果、蓋４とカバー７とによる段差を生じない、バリアフリーガイドレール１を得ることができる。
【００１９】
なお、蓋４の切り欠き端部８は、図１（Ａ）、図１（Ｂ）に示す形状に限らず、例えば、図２に示した本発明に係るバリアフリーガイドレールの第二の実施形態のように、蓋４の端部に傾斜をつけた形状とすることができる。
すなわち、蓋４とカバー７とが係合するときに、蓋４の上面とカバー７の上面とが同じ高さになるような切り欠き端部８であれば、図１（Ａ）、図１（Ｂ）に示すような形状に限定されない。
【００２０】
また、バリアフリーガイドレール１は、蓋４をステンレス製のものとすることができる。
この場合、蓋の強度が高まることで、例えば、蓋４を中空のものとすることができる。
【００２１】
また、図３（Ａ）、図３（Ｂ）に示した本発明に係るバリアフリーガイドレールの第三の実施形態のように、バリアフリーガイドレール１は、蓋４の上面に滑り止め用部材１１を設けることもできる。
この滑り止め用部材１１には、例えば、図３（Ａ）、図３（Ｂ）に示すような連続した突起を採用することができる。
また、滑り止め用部材１１は、図３（Ａ）、図３（Ｂ）に示すような連続した突起に限らず、いわゆるチェッカープレートとしての役割を持つものを採用することができる。
例えば、蓋４の上面に、硬質塩ビタックシート等を貼り付けることも可能である。
【００２２】
また、図４（Ａ）、図４（Ｂ）は、本発明に係るバリアフリーガイドレールの蓋４を複数、レールの延設方向に沿って連結した状態を示している。
ここで、図４（Ａ）における蓋４は、平行四辺形の形状をしているが、この形状に限定されず、例えば、長方形や台形等の他の形状のものとすることができる。
そして、レールが曲線状に設置されている場合には、曲線部分に長方形や台形等の形状の蓋４を組み合わせることで、容易に蓋４を連結することができる。
また、図４（Ｂ）に示すように、蓋４は、連結される蓋４同士が係合するような切り欠き端部１４を有する構造である。
そして、その連結される蓋４同士の上面は同じ高さである。
そのため、蓋４が連結することで、ガイド溝を完全に塞いでガイド溝内に塵埃が侵入することを確実に防止したうえで、さらに、連結される蓋４同士の上面に段差を生じない、バリアフリーガイドレール１を得ることができる。
なお、切り欠き端部１４は、図４（Ｂ）に示す形状に限らず、例えば、図２に示した本発明に係るバリアフリーガイドレールの第二の実施形態における切り欠き端部８のように、蓋４の端部に傾斜をつけた形状とすることができる。
【符号の説明】
【００２３】
１  バリアフリーガイドレール
２  ガイド溝
３  レール
４  蓋
５  回転軸
６  受台
７  カバー
８  切り欠き端部
９  横引きシャッター
１０  床面
１１  滑り止め用部材
１２、１３  ねじ
１４  切り欠き端部
２０  ガイドレール
２１  蓋
２２  ガイドレール枠
２３  カバー
【先行技術文献】
【特許文献】
【００２４】
【特許文献１】特開２００７−１００４５０号公報
【図１】
2015218494.tif 000003
【図２】
2015218494.tif 000004
【図３】
2015218494.tif 000005
【図４】
2015218494.tif 000006
【図５】
2015218494.tif 000007